(57)【要約】【課題】中継用キャップ本体を簡単な構成で容易且つ確実に排水口に固定できるようにする。【解決手段】フロア２の排水口３を上方突部５により通水可能に塞ぐ中継用キャップ本体３０の上方突部５の中心に落水管１２が挿通する開口１３を備えている中継用ドレンキャップであって、中継用キャップ本体３０の下部外周部から中継用キャップ本体３０の内側に向かって延設した支持部材１７により中継用キャップ本体３０の中心位置に支持された固定部材１８と、固定部材１８に固定されて中継用キャップ本体３０の半径方向外側に延びるバネ板７とを備える。【選択図】図３
2008019633.tif 000002
【特許請求の範囲】
【請求項１】
フロアの排水口を上方突部により通水可能に塞ぐ中継用キャップ本体の前記上方突部の中心に落水管が挿通する開口を備えている中継用ドレンキャップであって、中継用キャップ本体の下部外周部から中継用キャップ本体の内側に向かって延設した支持部材により中継用キャップ本体の中心位置に支持された固定部材と、該固定部材に固定されて中継用キャップ本体の半径方向外側に延びるバネ板とからなることを特徴とする中継用ドレンキャップ。
【請求項２】
固定部材と一体に形成した支持部材が中継用キャップ本体の外周部下面に固定されていることを特徴とする請求項１に記載の中継用ドレンキャップ。
【請求項３】
固定部材に固定したバネ板は周方向の均等位置になるよう半径方向外側に向かって延びていることを特徴とする請求項１又は２に記載の中継用ドレンキャップ。
【請求項４】
固定部材の下端部にバネ板の回り止め手段を備えたことを特徴とする請求項１〜３のいずれか１つに記載の中継用ドレンキャップ。
【請求項５】
固定部材は下側に向かって延設した下方延設部を有することを特徴とする請求項１〜４のいずれか１つに記載の中継用ドレンキャップ。
【請求項６】
バネ板は中継用キャップ本体の直径方向に延びた長さの中心位置を固定部材の下面に固定することを特徴とする請求項１〜５のいずれか１つに記載の中継用ドレンキャップ。
【発明の詳細な説明】
【技術分野】
【０００１】
本発明は、建築物の排水口に装着される中継用ドレンキャップに関するものである。
【背景技術】
【０００２】
ビルやマンション等の建築物の屋上や各階のベランダには、雨水を排水し得るよう排水口が設けられているのが一般的であり、この種の排水口には、雨水に随伴される落ち葉や小枝或いは紙、ビニール等といった固形物の侵入防止、並びに排水口が剥き出しになることによる危険性の回避、美観の保持等といった観点からドレンキャップが装着されている。
【０００３】
図４〜図６は従来における屋上に設けられる屋上用ドレンキャップの一例を示すもので、屋上用ドレンキャップはフロア２の排水口３の上部外側に設置するためのフランジ部４と、該フランジ部４から上方に突出して排水口３を通水可能に塞ぐ上方突部５とからなる屋上用キャップ本体１を有しており、この屋上用キャップ本体１の内部には、上端が上方突部５の内部中心位置に固定されて下方に所要長さで延設したロッド材６が固定されており、該ロッド材６の下端部に対し、十文字に交差された２枚の細長いバネ板７の中間部（交差部分）がビス止めされている。尚、図４中における８は屋上用キャップ本体１に形成された雨水を導き入れるための取水口を示している。
【０００４】
他方、フロア２を形成するためのモルタルやセメント、樹脂等といった流動性硬化材９の打設時に当該フロア２の排水口３の位置にドレン本体１０が一緒に埋め込まれており、前記各バネ板７の両端部を下方向きに撓ませて排水口３内に挿入した際に、前記各バネ板７が弾性力によりドレン本体１０の内周面に圧接することで屋上用キャップ本体１が排水口３に固定されるようになっている。
【０００５】
一方、屋上より下部の各階のベランダには、例えば図７に示すような中継用ドレンキャップが備えられている。
【０００６】
この中継用ドレンキャップは、フロア２の排水口３の上部外側に設置するためのフランジ部４と、該フランジ部４から上方に突出して排水口３を通水可能に塞ぐ上方突部５とからなる中継用キャップ本体１１を有している。そして、中継用キャップ本体１１の上方突部５の中心には、図６のドレン本体１０に接続されて下方に延設し前記屋上用キャップ本体１で集めた水を落下するための落水管１２が挿通される開口１３を形成している。このように、中継用キャップ本体１１の開口１３には落水管１２の下端が挿入されるため、中継用キャップ本体１１の中心には図４〜図６に示したようなロッド材６を設けることができない。
【０００７】
このため、中継用キャップ本体１１は、下部フランジ部４の内部に内側に向けて張出した張出板１４を設け、該張出板１４の周方向例えば３個所に、バネ板１５の一端をビス１５ａにより固定している。各バネ板１５は、ビス１５ａによる固定部から一旦中継用キャップ本体１１の中心側に向かった後、下向きで且つ外側に向くように曲げられている。又、前記張出板１４とバネ板１５を別体とせずに、張出板１４とバネ板１５とを一体に形成することも考えられている。尚、図７中における８は中継用キャップ本体１１に形成した雨水を導き入れるための取水口、１６は前記張出板１４に形成した水落下孔である。
【０００８】
そして、前記各バネ板１５の下端部を中継用キャップ本体１１の中心方向に撓ませて排水口３内に挿入した際に、前記各バネ板１５が弾性力によりドレン本体１０の内周面に圧接することで中継用キャップ本体１１が排水口３に固定されるようになっている。
【０００９】
前記した屋上用ドレンキャップに関連する先行技術文献情報としては、本発明と同じ出願人による下記の特許文献１等がある。
【特許文献１】特許第３０５０７８５号明細書
【発明の開示】
【発明が解決しようとする課題】
【００１０】
図７に示した従来の中継用ドレンキャップにおいては、中継用キャップ本体１１の下部内側に突出した張出板１４を設けて、該張出板１４にバネ板１５を固定するようにしているために、バネ板１５の固定が片持ちの１点支持となって十分な固定強度が得られなかったり固定強度にバラツキが生じ易いという問題がある。又、バネ板１５は固定部から一旦中継用キャップ本体１１の中心側に向かった後、下向きで且つ外側に向くように曲げた形状としているために、バネ板１５の曲げ加工が大変であると共に、曲げ形状にバラツキが生じ易く、そのために各バネ板１５の形状を現場で調整する必要があるという問題を有していた。
【００１１】
又、中継用キャップ本体１１の下部に内側周方向に突出する張出板１４を設けているために、該張出板１４にゴミ等が堆積し易いという問題を有していた。
【００１２】
更に、前記したように曲げ形状としたバネ板１５はビス１５ａによる固定点と排水口３の内面に接する先端との間の長さが長くなってバネ強度が低下し、しかもバネ板１５の先端は排水口３の内面に対して点で接触することになるために、バネ板１５による中継用キャップ本体１１の固定強度が低下するという問題を有していた。
【００１３】
本発明は上述の実情に鑑みてなしたもので、中継用キャップ本体を簡単な構成で容易且つ確実に排水口に固定し得るようにした中継用ドレンキャップを提供することを目的としている。
【課題を解決するための手段】
【００１４】
本発明は、フロアの排水口を上方突部により通水可能に塞ぐ中継用キャップ本体の前記上方突部の中心に落水管が挿通する開口を備えている中継用ドレンキャップであって、中継用キャップ本体の下部外周部から中継用キャップ本体の内側に向かって延設した支持部材により中継用キャップ本体の中心位置に支持された固定部材と、該固定部材に固定されて中継用キャップ本体の半径方向外側に延びるバネ板とからなることを特徴とする中継用ドレンキャップ、に係るものである。
【００１５】
上記中継用ドレンキャップにおいて、固定部材と一体に形成した支持部材を中継用キャップ本体の外周部下面に固定することができる。
【００１６】
又、上記中継用ドレンキャップにおいて、固定部材に固定したバネ板は周方向の均等位置になるよう半径方向外側に向かって延設することができる。
【００１７】
又、上記中継用ドレンキャップにおいて、固定部材の下端部にバネ板の回り止め手段を備えることができる。
【００１８】
又、上記中継用ドレンキャップにおいて、固定部材は下側に向かって延設した下方延設部を備えることができる。
【００１９】
又、上記中継用ドレンキャップにおいて、バネ板は中継用キャップ本体の直径方向に延びた長さの中心位置を固定部材の下面に固定することができる。
【００２０】
而して、上記中継用ドレンキャップにおいては、固定部材に固定したバネ板を中継用キャップ本体の中心方向に撓ませて排水口内に挿入すると、バネ板の先端側が面接触の状態で排水口の内周面に圧接されるようになる。
【００２１】
この際、中継用キャップ本体の中心位置に備えられた固定部材にバネ板を固定するようにしたので、直線形状のバネ板を用いることができ、バネ板の長さを短くしてもバネ板の先端を排水口に面接触させることができるため、バネ板により排水口に固定する中継用キャップ本体の固定強度を高めることができる。更に、半径方向に複数延設するバネ板のバネ強度を均一に保つことができるので、中継用キャップ本体を排水口に対し安定して固定できる。
【００２２】
又、固定部材と支持部材を一体に形成することにより、部品点数が減少し組立て作業を容易にできる。
【００２３】
又、固定部材の下端部にバネ板の回り止め手段を備えたことにより、バネ板が中継用キャップ本体の周方向にずれることが防止され、且つバネ板の相互間隔が適正に保持されるようになる。
【００２４】
又、固定部材は下側に向かって延設した下方延設部を備えているので、バネ板の固定位置を排水口内に深く侵入した位置とすることができ、よって排水口の上部開口に曲面が存在している場合にも中継用キャップ本体を安定して固定できる。
【００２５】
又、バネ板は中継用キャップ本体の直径方向に延びた長さの中心位置を固定部材の下面に固定したので、バネ板の両端が排水口内面に接触し、よって少ないバネ板の点数で接触点を増加することができ、更にバネ板の長さの中心位置を固定するために固定強度が安定すると共に両端の接触点の接触強さを均等に保持することができる。
【発明の効果】
【００２６】
上記した本発明の中継用ドレンキャップによれば、中継用キャップ本体の中心位置に設けた固定部材にバネ板を固定したので、直線形状のバネ板を用いることにより、バネ板の長さを短くしてもバネ板の先端を排水口に面接触させることができ、よって、バネ板による排水口に対する中継用キャップ本体の固定強度を高めることができる効果がある。更に、半径方向に複数延設するバネ板のバネ強度を均一に保つことができ、よって中継用キャップ本体を排水口に安定して固定できる効果がある。又、固定部材に対するバネ板の固定が容易であり、バネ板の取り付け作業に要する労力を著しく軽減できる効果がある。更に、構成が簡単でバネ板の取り付けも容易であるため、中継用ドレンキャップの製作コストを大幅に削減できる効果がある。
【００２７】
又、固定部材と支持部材を一体に形成したことにより、部品点数が減少し組立て作業が更に容易になる効果がある。
【００２８】
又、固定部材の下端部にバネ板の回り止め手段を備えたので、バネ板が中継用キャップ本体の周方向にずれることが防止され、且つバネ板の相互間隔が適正に保持される効果がある。
【００２９】
又、固定部材は下側に向かって延設した下方延設部を有するので、バネ板の固定位置を排水口内に深く侵入した位置とすることができ、よって排水口の上部開口に曲面が存在している場合にも安定して中継用キャップ本体を固定できる効果がある。
【００３０】
又、バネ板は中継用キャップ本体の直径方向に延びた長さの中心位置を固定部材の下面に固定したので、バネ板の両端が排水口内面に接触し、よって少ないバネ板の点数で接触点を増加することができ、更にバネ板の長さの中心位置を固定するために固定強度が安定すると共に両端の接触点の接触強さを均等に保持することができる効果がある。
【発明を実施するための最良の形態】
【００３１】
以下本発明の実施の形態を図面を参照しつつ説明する。
【００３２】
図１〜図３は本発明を実施する形態の一例を示すもので、図７と同一の符号を付した部分は同一物を表わしている。
【００３３】
図１〜図３に示す本形態例の中継用ドレンキャップは、中継用キャップ本体３０の下部に、フランジ部４の内部から中継用キャップ本体３０の内側に向かって延設した支持部材１７により、中継用キャップ本体３０の中心位置に固定部材１８を配置している。
【００３４】
固定部材１８は、図３に示す如く上下方向に所要の長さを有する例えば円柱部材の上端に半球面部１９を形成しており、該固定部材１８の半球面部１９の下部位置には図２に示す如く放射状に３方向に向けて延設した支持部材１７を一体に設けている。この時、固定部材１８は支持部材１７から下側に向かって所要長さＬで延設された下方延設部１８ａを形成している。
【００３５】
各支持部材１７の先端には、図２に示すように、３方向に延設された延設平面に対して鉛直方向のネジ孔２０が形成された円形部２１を備えている。一方、中継用キャップ本体３０の外側の３個所には凹部２２が形成してあり、該凹部２２に対応する中継用キャップ本体３０の下面外周位置には、前記支持部材１７の円形部２１が嵌合する嵌合穴２３を形成している。そして、前記凹部２２の底部に形成した固定用の孔２４に外部からビス２５を挿入して、支持部材１７の円形部２１のネジ孔２０にネジ込んで締付けることにより固定部材１８と一体の支持部材１７を中継用キャップ本体３０に固定している。
【００３６】
この時、固定部材１８と支持部材１７とは例えばダイキャスト工法等によって一体成形されていることが好ましいが、前記固定部材１８と支持部材１７を別々に製作して固定により一体に組み立てるようにしてもよい。更に、固定部材１８を支持する支持部材１７の数は３個以外の任意の数とすることができる。
【００３７】
前記固定部材１８の下面の中心にはネジ穴２６が形成してあり、更に、該ネジ穴２６を等間隔を有して取り囲む４箇所には下方に向けて突出した凸部２７ａからなる回り止め手段２７が設けられている。
【００３８】
７は前記回り止め手段２７の平行な２組の凸部２７ａ，２７ａ間に嵌合する幅を有する狭幅のバネ板であり、該バネ板７は直線形状を有しており、且つその長さは排水口３の直径の約２倍程度の長さを有しており、その長さ方向中心位置にはビス止め用の孔２８が形成されている。
【００３９】
そして、前記凸部２７ａ，２７ａ間に嵌合するように２枚のバネ板７を十文字に配置し、中間部（交差部分）の孔２８にビス２９を通してビス２９を固定部材１８の下面に形成したネジ穴２６にネジ込むことにより、バネ板７を固定部材１８に固定している。この時、図示例では２枚のバネ板７を備えた場合について例示したが、１枚のバネ板７を設けてもよく、又は３枚以上のバネ板７を設けてもよい。更には、固定部材１８の下面に、等間隔で３個所の凸部２７ａによる回り止め手段２７を設けて、半径方向に延びる３枚のバネ板７の端部を１つのビス２９を用いて固定部材１８に固定するようにしてもよい。
【００４０】
以下に、上記形態の作用を説明する。
【００４１】
上記した中継用ドレンキャップは、図３に示す如く固定部材１８に固定したバネ板７を中継用キャップ本体３０の中心方向に撓ませて排水口３内に挿入すると、バネ板７の先端側が面接触の状態で排水口３の内周面に圧接され、このバネ板７の圧接によって中継用キャップ本体３０は排水口３に固定される。
【００４２】
この際、中継用キャップ本体３０の中心位置に備えられた固定部材１８にバネ板７を固定したので、直線形状のバネ板７を用いることができ、バネ板７の長さを短くしてもバネ板７の先端を排水口３に沿って面接触させることができ、よってバネ板７により排水口３に固定する中継用キャップ本体３０の固定強度を高めることができる。更に、半径方向に複数延設するバネ板７のバネ強度を均一に保つことができ、よって中継用キャップ本体３０は排水口３に対し安定して固定されるようになる。又、前記固定部材１８の上端には半球面部１９を形成しているので、水中のゴミが固定部材１８に引っ掛かる問題を軽減することができ、更に、ゴミが引っ掛かる問題を軽減するためには、前記支持部材１７の数をできるだけ少なくすることが好ましい。
【００４３】
前記した固定部材１８と支持部材１７は一体に形成することが好ましく、一体とすることにより部品点数を減少して組立て作業を容易にすることができる。
【００４４】
又、固定部材１８の下端部にバネ板７の回り止め手段２７を備えたことにより、バネ板７が中継用キャップ本体３０の周方向にずれることが防止され、且つバネ板７の相互間隔が適正に保持されるようになる。
【００４５】
又、固定部材１８は下側に向かって延設した下方延設部１８ａを備えているので、バネ板７の固定位置を排水口３内に深く侵入した位置とすることができ、よって排水口３の上部開口に曲面３ａが存在している場合にも中継用キャップ本体３０を安定して排水口３に固定できるようになる。
【００４６】
又、バネ板７は中継用キャップ本体３０の直径方向に延びた長さの中心位置を固定部材１８の下面に固定したので、固定部材１８に対するバネ板７の固定が容易であり、バネ板７の取り付け作業に要する労力を軽減することができ、又、バネ板７の両端が排水口３内面に接触し、よって少ないバネ板７の点数で接触点を増加することができ、更にバネ板７の長さの中心位置を固定するために固定強度が安定すると共に両端の接触点の接触強さを均等に保持することができるようになる。
【００４７】
更に、上記した中継用ドレンキャップは構成が簡単であり、且つバネ板７の取り付けも容易であるため、中継用ドレンキャップの製作コストを大幅に削減することができる。
【００４８】
尚、本発明の中継用ドレンキャップは、上述の形態例にのみ限定されるものではなく、中継用キャップ本体、回り止め手段、固定部材及び支持部材等の形状は図示例に限定されないこと、その他、本発明の要旨を逸脱しない範囲内において種々変更を加え得ることは勿論である。
【図面の簡単な説明】
【００４９】
【図１】本発明を実施する形態の一例を示す側面図である。
【図２】図１のＩＩ−ＩＩ方向矢視図である。
【図３】本発明の中継用ドレンキャップを排水口に装着した状態を示す断面図である。
【図４】従来の屋上用ドレンキャップの一例を示す斜視図である。
【図５】図４の屋上用ドレンキャップの断面図である。
【図６】図４の屋上用ドレンキャップを排水口に装着した状態を示す断面図である。
【図７】従来の中継用ドレンキャップを排水口に装着した状態を示す断面図である。
【符号の説明】
【００５０】
２  フロア
３  排水口
５  上方突部
７  バネ板
１２  落水管
１３  開口
１７  支持部材
１８  固定部材
１８ａ        下方延設部
２７  回り止め手段
３０  中継用キャップ本体
Ｌ  長さ
【図１】
2008019633.tif 000003
【図２】
2008019633.tif 000004
【図３】
2008019633.tif 000005
【図４】
2008019633.tif 000006
【図５】
2008019633.tif 000007
【図６】
2008019633.tif 000008
【図７】
2008019633.tif 000009